(57)【要約】      （修正有）【課題】  コネクタ接続されるエレベータの電気配線装置において、比較的簡単な構成で防水・防滴機能を得ること。【解決手段】  インジケータ等の配線用ボックス３０の背面部３１に挿通口３２が空けられ、その上下にインサーナット３３を設ける。先端に外部電線コネクタ２０を設けた外部電線ケーブル４０を、取付部材４１の切欠及びゴム製の可撓性部材４４の孔４５に通す。そして、外部電線ケーブル４０の先端と外部電線コネクタ２０を挿通口３２に通す。更に取付部材４１，可撓性部材４４を挟んでボルト５０をインサーナット３３にねじ込むことにより、外部電線ケーブル４０を配線用ボックス３０に取り付ける。  これにより可撓性部材４４が防水機能を果たすため、防水・防滴機能を備えた構成を実現できる。【選択図】      図１
2008081311.tif 000002
【特許請求の範囲】
【請求項１】
配線用ボックスの一側に外部電線コネクタが挿通可能な挿通口が空けられ、この挿通口に前記外部電線コネクタを挿通して外部電線を装着する構成の電気配線装置において、
前記挿通口より広い面積であって、前記外部電線が挿通可能な構成の取付部材と、前記挿通口より広い面積であって、前記外部電線の挿通可能な孔を有する可撓性部材とを備え、前記外部電線のコネクタ側が前記取付部材と前記可撓性部材を挿通して前記挿通口から前記配線用ボックスに入っており、前記可撓性部材を挟んで前記取付部材が前記配線用ボックスの一側に固定されていることを特徴とするエレベータの電気配線装置。
【請求項２】
前記外部電線は前記取付部材に固定されていることを特徴とする請求項１に記載のエレベータの電気配線装置。
【請求項３】
前記取付部材は前記外部電線が通過可能な切欠を有する構成であることを特徴とする請求項１又は２に記載のエレベータの電気配線装置。
【請求項４】
前記可撓性部材は前記取付部材に固定されていることを特徴とする請求項１乃至３の何れかに記載のエレベータの電気配線装置。
【請求項５】
前記外部電線はケーブルであり、前記可撓性部材に空けられた孔の寸法は前記ケーブルの外形寸法以下であることを特徴とする請求項１乃至４の何れかに記載のエレベータの電気配線装置。
【請求項６】
前記可撓性部材はゴムであることを特徴とする請求項１乃至５の何れかに記載のエレベータの電気配線装置。
【発明の詳細な説明】
【技術分野】
【０００１】
本発明は、エレベータの電気配線装置の構造に関するものであり、特にコネクタ接続される電気配線装置において、防水・防滴機能を備えた構造に関するものである。
【背景技術】
【０００２】
図５〜図９は特許文献１に示されている従来の電気配線装置を示す例であり、図５は配線用ボックス１２の斜視図であり、この配線用ボックス１２の正面部は後述のインジケータ押ボタン部品が取り付けられる全面が開口し、背面部の中央に外部電線コネクタが挿通される大きさの挿通口１３が空けられており、その上部には係止板１５の装着用ビス１４が設けられている。
【０００３】
図６は配線用ボックス１２の背面部に係止される係止板１５の斜視図である。この係止板１５は、挿通口１３より大きい基板１６の中央に挿通口１３より小さい挿着孔１７が空けられ、更にこの挿着孔１７の上方には前記ビス１４と係合するダルマ孔１８が空けられている。また基板１６の下端は前記挿通口１３に挿入できるだけの幅を有するように両側の一部が切除されるとともに、図７に示すようにクランク状に折り曲げられて挿入片１９を構成し、この挿入片１９は段部１９ａと下縁１９ｂからなっている。
【０００４】
図７は係止板１５に挿着した係止部品の側面図である。この係止部品は係止板１５の挿着孔１７に固着された固定器具４を介して、幹線５からの枝線６の先端に外部電線コネクタ２０を接続した構成である。
【０００５】
図８は配線用ボックス１２の正面部に取り付けられるインジケータ押ボタン部品の斜視図である。このインジケータ押ボタン部品は、押ボタン１０とその端子１０ａに予め接続された内部電線コネクタ２１とからなる。
【０００６】
次にこの従来技術の据付作業を図９により説明する。まず図７で示される係止部品を予め工場等で製作しておき、電気幹線５と枝線６をハーネス配線して現場へ搬入する。また図８に示したインジケータ押ボタン部品も予め工場等で製作しておき、配線用ボックス１２とともに現場へ搬入する。そして、図９に示すように配線用ボックス１２の正面部を乗場側Ａに、背面部を昇降路側Ｂにして壁１に固定する。
【０００７】
次に図７に示す係止部品を配線用ボックス１２の背面部に取り付ける。まず外部電線コネクタ２０と、挿入片１９を挿通口１３に挿通し、段部１９ａを挿通口１３の下縁に載せてビス１４にダルマ孔１８を係合させて取り付ける。
更に図８に示すインジケータ押ボタン部品の内部電線コネクタ２１と外部電線コネクタ２０とを接続し、配線用ボックス１２の正面側にインジケータ押ボタン部品を取り付けることにより作業を終了する。
【０００８】
【特許文献１】特公昭６３−６６１３０号公報
【発明の開示】
【発明が解決しようとする課題】
【０００９】
エレベータでは、設置現場の状況によりインジケータなどに防水・防滴構造が必要な場合がある。前記従来技術において防水・防滴構造にしようとすると、固定器具４にゴムブッシングを使用して接着するとともに係止板１５と配線用ボックス１２との間も接着する必要があるが，構造が複雑になる上完全な防水・防滴効果は期待できないという問題があった。
【課題を解決するための手段】
【００１０】
本発明は、配線用ボックスの一側に外部電線コネクタが挿通可能な挿通口が空けられ、この挿通口に前記外部電線コネクタを挿通して外部電線を装着する構成の電気配線装置において、前記挿通口より広い面積であって、前記外部電線が挿通可能な構成の取付部材と、前記挿通口より広い面積であって、前記外部電線の挿通可能な穴を有する可撓性部材とを備え、前記外部電線のコネクタ側が前記取付部材と前記可撓性部材を挿通して前記挿通口から前記配線用ボックスに入っており、前記可撓性部材を挟んで前記取付部材が前記配線用ボックスの一側に固定されていることを特徴とするエレベータの電気配線装置である。
【００１１】
また本発明は、前記外部電線は前記取付部材に固定されており、更に前記取付部材は前記外部電線が通過可能な切欠を有する構成である。
また、前記可撓性部材は前記取付部材に固定されており、更に前記外部電線はケーブルであり前記可撓性部材に空けられた孔の寸法は前記ケーブルの外形寸法以下にしたものである。更にまた前記可撓性部材としてゴムを使用したものである。
【発明の効果】
【００１２】
本発明によれば、比較的簡単な構成で防水・防滴効果を奏することができる。
【発明を実施するための最良の形態】
【００１３】
本発明の実施の形態を図１〜図４により説明する。図１は全体の説明図、図２は外部電線ケーブルの取付状態を示す部分断面正面図で図９に相当する図、図３は図２の左側面図、図４は取付部材の左側面図である。
図において、３０はインジケータや乗場押ボタン部品などの配線用ボックスで、その背面部３１の中央には外部電線コネクタ２０が挿通される挿通口３２が空けられ、その上下にはインサーナット（例えば株式会社ロブテックスの「エビナット」（登録商標）など）３３が取り付けられている。４０は外部電線ケーブルで、図７の枝線６と同様のものであり、その先端には外部電線コネクタ２０が取り付けられている。ここでは外部電線コネクタ２０を２個設けているが、１個又は３個以上でもよい。
【００１４】
外部電線ケーブル４０を配線用ボックス３０に取り付ける場合は、外部電線コネクタ２０と外部電線ケーブル４０の先端を、アングル状の取付部材４１の一片４２に設けられたＵ字状の切欠４３を経由してゴムからなる板状の可撓性部材４４に空けられた孔４５に挿通する。この孔４５の寸法は外部電線ケーブル４０の外形寸法以下であるため、可撓性部材４４と外部電線ケーブル４０とは密着する。そして外部電線ケーブル４０を束線用バンド４６によって取付部材４１の他片４７に固定する。ここまでの作業は従来技術と同じく予め工場などで製作しておくこともできるし、現場で行なうこともできる。
【００１５】
次に図２に示すように、外部電線コネクタ２０と外部電線ケーブル４０の先端を挿通口３２から配線用ボックス３０に挿入し、取付部材４１，可撓性部材４４を挟んでボルト５０を一片４２の孔４８からインサーナット３３に螺合することにより、外部電線ケーブル４０を配線ボックス３０に取り付ける。
後は従来と同じく、外部電線コネクタ２０を内部電線コネクタと接続し、配線用ボックス３０の正面部にインジケータや乗場呼ボタン部品を取り付けることにより、作業を終了する。
【００１６】
このように、本実施の形態は主に外部電線ケーブル４０を固定する役割の取付部材４１等と、主に防水・防滴機能を受け持つ可撓性部材４４とを組み合わせた構成とすることにより、比較的簡単な構成で防水・防滴効果を有するエレベータの電気配線装置を実現することができる。
また、取付部材４１の切欠４３に外部電線ケーブル４０を挿入する構成のため、外部電線コネクタ２０が大きくても問題なく挿入することができる。更に孔４５は可撓性部材４４に空けられているため、外部電線コネクタ２０は容易に孔４５を通過することができる。
【００１７】
前記実施の形態において、外部電線ケーブル４０は束線用バンド４６によって取付部材４１に固定しているが、これに限ることはなく、外部電線ケーブル４０を挟み込むクランプやバインド線など他のものでもよい。またインサーナット３３の代わりにナット溶接を使用してもよい。更に配線用ボックス３０の背面部３１に挿通口３２を設けた例を示したが、背面部以外に挿通口が設けられている場合でも同じである。
また、取付部材４１と可撓性部材４４とを別体としているが、予め可撓性部材４４を取付部材４１に固定しておくこともできる。更に取付部材４１はアングル状としているが、これに限ることはない。
【図面の簡単な説明】
【００１８】
【図１】本発明の実施の形態を示す全体の説明図である。
【図２】外部電線ケーブルの取付状態を示す部分断面正面図である。
【図３】図２の左側面図である。
【図４】取付部材の左側面図である。
【図５】従来の配線用ボックスの斜視図である。
【図６】従来の係止板の斜視図である。
【図７】従来の係止部品の側面図である。
【図８】従来のインジケータ押ボタン部品の斜視図である。
【図９】従来の電気配線装置の組立状態を示す一部縦断側面図である。
【符号の説明】
【００１９】
１２，３０  配線用ボックス
１３，３２  挿通口
２０  外部電線コネクタ
４０  外部電線ケーブル（外部電線）
４１  取付部材
４３  切欠
４４  可撓性部材
４５  可撓性部材の孔
【図１】
2008081311.tif 000003
【図２】
2008081311.tif 000004
【図３】
2008081311.tif 000005
【図４】
2008081311.tif 000006
【図５】
2008081311.tif 000007
【図６】
2008081311.tif 000008
【図７】
2008081311.tif 000009
【図８】
2008081311.tif 000010
【図９】
2008081311.tif 000011